(57)【特許請求の範囲】
【請求項１】
画像データに対して不正コピー防止パターンを重畳する手段と、
前記不正コピー防止パターンを認識し、当該不正コピー防止パターンの各画素単位で画像データを補正して不正コピー防止パターンに含まれる孤立ドットの大きさを制御する制御手段と
前記補正後の画像データに基づいて感光体上に対応する画像を書き込む書き込み手段と
を有する光書き込み装置。
【請求項２】
前記制御手段は、不正コピー防止パターンに含まれる孤立ドットにつき、当該孤立ドットに含まれる各画素の当該孤立ドット中の相対的位置に応じて補正の態様を異ならせる制御を行うことを特徴とする
請求項１に記載の光書き込み装置。
【請求項３】
前記制御手段は、画像データの画像領域を主走査方向に分割し、分割した領域ごとに個別に前記不正コピー防止パターンに含まれる孤立ドットの大きさを制御することを特徴とする
請求項１に記載の光書き込み装置。
【請求項４】
前記感光体上に書き込まれた画像を転写する用紙のサイズより短い幅の発光素子アレイユニットを複数、主走査方向沿って、相互に一部重複するように並べ、隣接する前記発光素子アレイユニットの繋ぎ目部の画像領域について前記不正コピー防止パターンに含まれる孤立ドットのドットパターンを印字する際、前記制御手段は前記繋ぎ目部では他の部分とは独立して前記孤立ドットの大きさを制御することを特徴とする
請求項１に記載の光書き込み装置。
【請求項５】
前記制御手段は前記繋ぎ目部以外の画像領域では、主走査方向に画像データの画像領域を分割して、それぞれの領域において他の領域とは独立して前記孤立ドットの大きさを制御することを特徴とする
請求項４に記載の光書き込み装置。
【請求項６】
前記主走査方向に分割する際の分割画像領域の幅を外部から任意に設定する設定手段を備えていることを特徴とする
請求項３乃至５のうちの何れか一項に記載の光書き込み装置。
【請求項７】
前記主走査方向に分割する際の分割画像領域の分割数を外部から任意に設定する設定手段を備えていることを特徴とする
請求項３乃至５のうちの何れか一項に記載の光書き込み装置。
【請求項８】
画像データの認識を行う際に不正コピー防止パターンに含まれる孤立ドットであると認識するための参照画素パターンを外部から任意に設定する設定手段を備えていることを特徴とする
請求項１に記載の光書き込み装置。
【請求項９】
前記不正コピー防止パターンに含まれる孤立ドットの各画素の補正の態様を外部から調整する調整手段をさらに備えていることを特徴とする
請求項１に記載の光書き込み装置。
【請求項１０】
前記調整は、前記孤立ドットの各画素に対応する発光素子の出力を制御する出力制御手段により行われることを特徴とする
請求項９に記載の光書き込み装置。
【請求項１１】
前記調整は、前記孤立ドットの各画素に対応する発光素子への画像データの転送速度を制御する転送速度制御手段により行われることを特徴とする
請求項９に記載の光書き込み装置。
【請求項１２】
前記孤立ドットの各画素に対応する発光素子の出力を制御する出力制御手段、前記孤立ドットの各画素に対応する発光素子への画像データの転送速度を制御する転送速度制御手段、ならびに前記出力制御手段および前記転送速度制御手段を選択する選択手段を備え、
前記選択手段は、２値モードか多値モードかに応じて前記出力制御手段および前記転送速度制御手段のいずれかを選択し、
前記調整手段は前記選択手段により選択された手段を使用して前記調整を行うことを特徴とする
請求項９に記載の光書き込み装置。
【請求項１３】
請求項１乃至１２のうちの何れか一項に記載の光書き込み装置と、
前記感光体と、
前記感光体上に書き込まれた画像を用紙上に転写する転写手段とを有する
画像形成装置。
【請求項１４】
画像データに基づいて感光体上に対応する画像を書き込む書き込み手段を有する光書き込み装置の動作をコンピュータで制御するためのプログラムであって、
画像データに対して不正コピー防止パターンを重畳する手段、および
前記不正コピー防止パターンを認識し、当該不正コピー防止パターンの各画素単位で画像データを補正して不正コピー防止パターンに含まれる孤立ドットの大きさを制御する制御手段
としてコンピュータを機能させるためのプログラム。
【請求項１５】
前記制御手段は、不正コピー防止パターンに含まれる孤立ドットにつき、当該孤立ドットに含まれる画素の当該孤立ドット中の相対的位置に応じて補正の態様を異ならせる制御を行うことを特徴とする
請求項１４に記載のプログラム。
【請求項１６】
前記制御手段は、画像データの画像領域を主走査方向に分割し、分割した領域ごとに個別に前記不正コピー防止パターンに含まれる孤立ドットの大きさを制御することを特徴とする
請求項１４に記載のプログラム。
【請求項１７】
更に前記不正コピー防止パターンに含まれる孤立ドットの各画素の補正の態様を外部から調整する調整手段としてコンピュータを機能させることを特徴とする
請求項１４に記載のプログラム。
【請求項１８】
前記調整手段は、前記孤立ドットの各画素に対応する発光素子の出力を制御する出力制御手段を有することを特徴とする
請求項１７に記載のプログラム。
【請求項１９】
前記調整手段は、前記孤立ドットの各画素に対応する発光素子への画像データの転送速度を制御する転送速度制御手段を有することを特徴とする
請求項１７に記載のプログラム。
【請求項２０】
更に前記孤立ドットの各画素に対応する発光素子の出力を制御する出力制御手段、前記孤立ドットの各画素に対応する発光素子への画像データの転送速度を制御する転送速度制御手段、ならびに前記出力制御手段および前記転送速度制御手段を選択する選択手段としてコンピュータを機能させ、
前記選択手段は２値モードか多値モードかに応じて前記出力制御手段および前記転送速度制御手段のいずれかを選択し、
前記調整手段は前記選択手段により選択された手段を使用して前記調整を行うことを特徴とする
請求項１７に記載のプログラム。
【発明の詳細な説明】
【技術分野】
【０００１】
本発明は画像データに不正コピー防止パターンを重畳する機能（以下「不正コピー防止機能」と称する）を有する光書き込み装置、この光書き込み装置を備えた複写機、複写機能を有するデジタル複合機などの画像形成装置、ならびに前記光書き込み装置の動作をコンピュータで制御するためのプログラムに関する。
【背景技術】
【０００２】
現在一般に使用されている複写機には不正コピー防止機能が搭載されている。この不正コピー防止機能とは、当該機能を有する画像処理装置（第１の画像処理装置と称する）が、画像データに対し不正コピー防止パターンを重畳した上で対応する画像を印刷する機能である。このように不正コピー防止パターンが重畳された画像が第２の画像処理装置を使用して読み取られる際、当該第２の画像処理装置により前記不正コピー防止パターンが認識される。その結果、当該第２の画像処理装置は当該画像を不正コピー防止画像として取り扱い、当該画像のコピーを行わない。この不正コピー防止機能が有効に活かされるためには、ある機種の第１の画像形成装置で印刷された、不正コピー防止パターンが重畳された画像が、他機種の第２の画像処理装置で読み取られた場合であっても、当該第２の画像処理装置により当該画像が不正コピー防止画像として確実に認識されることが要される。
【０００３】
特許文献１には以下の技術が開示されている。すなわち、熱エネルギにより発色状態と消色状態とを可逆的に変化させることにより可視情報の表示および消去が可能な熱可逆性記録層を有する熱可逆印刷媒体を使用する。そして当該熱可逆印刷媒体に書き込まれている、複写の可否、複写権限、機密期限、印刷媒体特性を含む埋め込み情報が複写時に読み出されて解析される。
【０００４】
また特許文献２乃至４は、複写禁止文書の不正複写を防止する機能を有する画像処理装置を開示している。
【特許文献１】特開２００４−２３７６７８号公報
【特許文献２】特許第３０７８４３３号
【特許文献３】特開平７−２７３９８４号公報
【特許文献４】米国特許第５，６４７，０１０号
【発明の開示】
【発明が解決しようとする課題】
【０００５】
現在、画像形成装置として、いわゆるＡ０広幅機を使用して印刷を行う場合、感光体に静電像を形成する際、複数の発光素子を有するＬＥＤプリントヘッド（ＬＥＤＰｒｉｎｔＨｅａｄ、以下、ＬＰＨと略称する）を用いていること、さらにはその他のプロセス上の条件により、いわゆるＬＤ書き込みを行う他機種の画像形成装置に比べ、１ドットのドット形状が全体的に大きく、縦長になる（図２９（ｃ）、図３０（ｃ）参照）。その結果印刷された不正コピー防止パターンが不正コピー防止パターンの規格を満たさなくなる場合が懸念される。その場合、当該広幅機を第１の画像処理装置として使用すると、当該第１の画像処理装置から出力された、不正コピー防止パターンが重畳された画像から、第２の画像処理装置により当該不正コピー防止パターンを認識する際の認識精度が低下するおそれが考えられる。その結果第２の画像処理装置では当該画像が不正コピー防止画像として認識されず、コピーがなされてしまうという事態が考えられる。なお、前記プロセス上の条件とは、現像ローラ径、現像方式、トナー粒系などの条件のことで、これらの条件がＡ０広幅機と、Ａ３以下の機種とでは異なっている。
【０００６】
このような問題点を解決するため、広幅器で出力された不正コピー防止パターンを重畳した画像における、当該不正コピー防止パターンに含まれる孤立ドットの大きさを細線化機能等で制御することで、印刷された不正コピー防止パターンが不正コピー防止パターンの規格が満たすようにすることが考えられる。しかしながら現状では横方向の細線化の効果は大きいものの、縦方向の細線化の効果は不十分であり、印刷された不正コピー防止パターンが不正コピー防止パターンの規格が満たすようにすることは困難と考えられる。また縦方向の制御を行おうとすると画像全体に影響が出てしまうため、これを行なうことが困難と考えられる。ＬＰＨが有する各発光素子自体の画素径は汎用部品で決まるため、これを変更することは困難と考えられる。またプロセス系の変更も副作用の影響を考慮するとこれを実際に行うことは困難と考えられる。このようなことから、現像ローラ径、現像方式、トナー粒系等を変更し、製品として他機種と同等のドット径を実現し、印刷された不正コピー防止パターンが不正コピー防止パターンの規格を満たすようにすることは困難と考えられる。
【課題を解決するための手段】
【０００７】
前記課題を解決するため、画像データに対して不正コピー防止パターンを重畳した後に不正コピー防止パターンを認識し、当該不正コピー防止パターンの各画素単位で画像データを補正して不正コピー防止パターンに含まれる孤立ドットの大きさを制御した上で対応する画像を書き込むようにした。
【発明の効果】
【０００８】
画像データ上で不正コピー防止パターンを認識し、当該不正コピー防止パターンの各画素単位で画像データを補正して不正コピー防止パターンに含まれる孤立ドットの大きさを制御することにより、印刷された画像に含まれる不正コピー防止パターンに含まれる孤立ドットの大きさを精度よく制御し得る。その結果第１の画像処理装置によりこのようにして不正コピー防止パターンに含まれる孤立ドットの大きさが精度よく制御されて印刷された画像に含まれる不正コピー防止パターンは、第２の画像処理装置によって高精度で認識されるようになる。したがって第１の画像処理装置が有する不正コピー防止機能が効果的に活かされる。
【発明を実施するための最良の形態】
【０００９】
実施例によれば、画像書き込み部においてラインメモリを用いて画像データから小さな画像マトリクスを順次抽出する。このようにして抽出された画像マトリクスを随時参照することで当該画像マトリクスから不正コピー防止パターンを認識する。画像マトリクスから不正コピー防止パターンが認識された場合、１画素単位で画素の光量を制御して不正コピー防止パターンに含まれる孤立ドットのドットパターン全体の大きさを制御する。ここでＡ０感光体は幅が広いため、感光体像高に応じたプロセス特性のばらつきがあり、その結果紙面上に形成されるドット径がばらつくことがある。そのような現象の一例を図２６に示す。すなわち、Ａ０感光体の左側、中央部、右側で図２６に示したように１画素サイズが異なる場合がある。
【００１０】
Ａ０感光体においてもドット径のばらつきを効果的に抑制し得、結果的に不正コピー防止パターンの認識精度を向上させるため、実施例の第１の手段は、画像データに対して不正コピー防止パターンを重畳し、発光素子アレイユニットを用いて感光体上に光書き込みを行う光書き込み装置において、前記画像データをｎラインずつ蓄積する記憶手段と、前記記憶手段から読み出した画像データを使用してｎ×ｎ（ｎは２以上の整数）の画像マトリクスを生成するマトリクス生成手段と、前記マトリクス生成手段によって生成された画像マトリクスごとに画像データの認識を行い、該当する不正コピー防止パターンが認識されたとき、不正コピー防止パターンの各画素単位で画像データを補正して不正コピー防止パターンの孤立ドットの大きさを制御する制御手段とを備える。前記制御手段は、主走査方向に画像領域を分割し、分割した領域ごとに個別に前記不正コピー防止パターンの孤立ドットの大きさを制御する。
【００１１】
第２の手段は、第１の手段において、Ａ０の用紙サイズより短い幅の前記発光素子アレイユニットを複数主走査方向沿って一部重複して並べ、Ａ０サイズの書き込み幅を設定して書き込みを行う場合、隣接する前記発光素子アレイユニットの繋ぎ目部の画像領域において前記不正コピー防止パターンの孤立ドットを印字する際、前記制御手段は前記繋ぎ目部では他の部分とは独立して前記孤立ドットの大きさを制御する。
【００１２】
第３の手段は、第２の手段において、前記制御手段が、前記繋ぎ目部以外の画像領域では、主走査方向に画像を分割して、それぞれの領域において他の領域とは独立して前記孤立ドットの大きさを制御する。
【００１３】
第４の手段は、第１ないし第３のいずれかの手段において、前記主走査方向に分割する分割画像領域の幅を外部から任意に設定する設定手段を備える。
【００１４】
第５の手段は、第１ないし第３のいずれかの手段において、前記主走査方向に分割する分割画像領域の分割数を外部から任意に設定する設定手段を備える。
【００１５】
第６の手段は、第１ないし第３のいずれかの手段において、前記マトリクス生成手段によって生成された画像マトリクスによってパターン認識を行う際に不正コピー防止パターンの孤立ドットであると認識する参照画素パターンを外部から任意に設定する設定手段を備える。
【００１６】
第７の手段は、第６の手段において、前記不正コピー防止パターンの孤立ドットの各画素の補正の態様を外部から調整する調整手段をさらに備える。
【００１７】
第８の手段では、第７の手段において、前記調整が前記孤立ドットパターンの各画素に対応する発光素子の出力を制御する出力制御手段により行われる。
【００１８】
第９の手段では、第７の手段において、前記調整が前記孤立ドットパターンの各画素に対応する発光素子への画像データの転送速度を制御する転送速度制御手段により行われる。
【００１９】
第１０の手段では、第７の手段において、前記孤立ドットパターンの各画素に対応する発光素子の出力を制御する出力制御手段、前記孤立ドットパターンの各画素に対応する発光素子への画像データの転送速度を制御する転送速度制御手段、および前記各制御手段を選択する選択手段を備え、前記選択手段は２値モードか多値モードかに基づいて前記出力制御手段および前記転送速度制御手段のいずれかを選択して前記調整を行わせる。
【００２０】
第１ないし第１０のいずれかの手段に係る光書き込み装置を画像形成装置が備える。
【００２１】
第１１の手段によれば、画像データに対して不正コピー防止パターンを重畳し、発光素子アレイユニットを用いて感光体上に光書き込みを行う光書き込み方法において、ラインメモリを用いて画像データから小さな画像マトリクスを生成するマトリクス生成工程と、前記マトリクス生成工程で生成された画像マトリクスを随時参照して不正コピー防止パターンを認識するパターン認識工程と、前記パターン認識工程で前記不正コピー防止パターンが認識されたとき、１画素単位で画素の光量を制御して不正コピー防止パターンの孤立ドット全体の大きさを制御する制御工程とを備え、前記制御工程で主走査方向に画像領域を分割し、分割した領域ごとに個別に前記不正コピー防止パターンの孤立ドットの大きさを制御する。
【００２２】
第１２の手段によれば、画像データに対して不正コピー防止パターンを重畳し、発光素子アレイユニットを用いて感光体上に光書き込みを行う光書き込み方法において、前記画像データをｎラインずつ記憶手段に蓄積する蓄積工程と、前記蓄積工程で蓄積された画像データを前記記憶手段から読み出し、その読み出した画像データを用いてｎ×ｎ（ｎは２以上の整数）の画像マトリクスを生成するマトリクス生成工程と、前記マトリクス生成工程で生成された画像マトリクスごとに画像データの認識を行い、該当する不正コピー防止パターンが認識されたとき、不正コピー防止パターンの各画素単位で画像データを補正して不正コピー防止パターンの孤立ドットの大きさを制御する制御工程とを備え、前記制御工程で主走査方向に画像領域を分割し、分割した領域ごとに個別に前記不正コピー防止パターンの孤立ドットの大きさを制御する。
【００２３】
第１３の手段によれば、第１１又は第１２の手段において、前記分割した領域が、Ａ０の用紙サイズより短い幅の前記発光素子アレイユニットを複数主走査方向沿って一部重複して並べ、Ａ０サイズの書き込み幅を設定して書き込みを行う場合の隣接する前記発光素子アレイユニットの繋ぎ目部の画像領域である。
【００２４】
第１４の手段によれば、第１３の手段において、前記繋ぎ目部以外の画像領域では、主走査方向に画像を分割して、それぞれの領域において他の領域とは独立して前記孤立ドットの大きさを制御する。
【００２５】
ここで前記発光素子アレイユニットはＬＰＨ１（５０３−１），ＬＰＨ２（５０３−２），ＬＰＨ３（５０３−３）の各々に対応する。記憶手段はラインメモリ５０１−２１に対応する。マトリクス生成手段は画像マトリクス生成部５０１−３２に対応する。制御手段はＣＰＵ３０２−１（図１Ｂ参照）、パターン認識および出力画像生成部５０１−３３に対応する。外部から任意に設定する設定手段は操作部４００およびシステム制御装置３０２に設けられたＣＰＵ３０２−１および同システム制御装置３０２に設けられたＲＡＭ３０２−３によって実現され得る各種レジスタに対応する。出力制御手段はＬＰＨ制御回路５０２に対応する。転送速度設定手段は遅延制御・ＬＰＨ転送部５０２−３に対応する。選択手段は前記ＣＰＵ３０２−１に対応する。
【００２６】
実施例によれば、主走査方向に画像領域を分割し、分割した領域ごとに個別に前記不正コピー防止パターンの孤立ドットの大きさを制御するので、孤立ドットの大きさを揃えることが可能となり、これにより不正コピー防止パターンの認識精度を向上させることができる。
【００２７】
以下、図面を参照し、各実施例につき詳細に説明する。
【実施例１】
【００２８】
図１Ａは実施例１に係る画像形成装置の概略構成を示すブロック図である。同図において、本実施例に係る画像形成装置は、原稿を読み取る読み取り手段としての原稿読み取り部１００、読み取られた原稿の画像情報を記憶する記憶手段としての画像情報記憶部３００、記憶された画像情報を転写紙に複写するための一連のプロセスを実行する複写装置２００、複写する際に画像を書き込む書き込み部５００、これらを制御するシステム制御装置３０２、およびこのシステム制御装置にキー入力を行う操作手段としての操作部４００等を有する。また図１Ｂはシステム制御装置３０２の内部構成の例を示すブロック図である。図示の如く、システム制御装置３０２は各種の演算処理を実行するためのＣＰＵ３０２−１，ＣＰＵ３０２―１によって使用される各種情報、プログラム等を格納するＲＯＭ３０２−２およびＲＡＭ３０２−３を有する。
【００２９】
図２は実施例１に係る画像形成装置の機械的構成を示す図である。画像形成装置は複写装置２００と画像読み取り部１００とを有し、画像読み取り部１００は複写装置２００の上部に装着され、これらは一体となっている。なお、複写装置２００では、下部に給紙部が、その上部に作像部が、それぞれ配置されている。
【００３０】
オペレータが原稿を画像読み取り部１００の挿入口１０から挿入すると、原稿は、ローラ２１の回転により密着センサ（すなわちＣＩＳ（Contact  Image  Sensor））１０１と白色ローラ２３との間を通して搬送される。搬送中の原稿には、密着センサ１０１に取り付けられているＬＥＤ素子により光が照射され、その反射光が密着センサ１０１に結像されて原稿画像情報が読み取られる。
【００３１】
図１Aに示すように、密着センサ１０１は結像された原稿画像をアナログの電気信号に変換し，この電気信号は画像増幅回路１０２で増幅される。Ａ／Ｄ変換回路１０３は画像増幅回路１０２で増幅された画像信号を画素ごとに多値デジタル画像信号に変換する。このデジタル画像信号はＡ／Ｄ変換回路１０３で同期制御回路１０６から出力されるクロックに同期して出力される。その後デジタル画像信号が有するデジタル画像情報はシェーディング補正回路１０４で処理され、前記ＬＥＤ素子の光量ムラ、密着センサ１０１の感度ムラ等による歪が補正される。シェーディング補正回路１０４で補正されたデジタル画像情報は、画像処理回路１０５でデジタル記録画像情報に変換された後、画像情報記憶部３００内の記憶手段としての画像メモリ部３０１に書き込まれる。また、読み取り制御回路１０７は読み取り部１００内の同期制御回路１０６などを制御する。スキャナ駆動回路１０８は読み取り部１００内のローラ２１、白色ローラ２３などを回転させるモータ等を駆動制御する。
【００３２】
システム制御装置３０２は書き込み部５００および複写装置２００を制御し、画像メモリ部３０１に書き込まれた画像情報により転写紙に画像を形成するための一連のプロセスを制御する。書き込み部５００は後述する如く複写装置２００に対して画像の光書き込みを行う機能を有する。さらに詳しくは、システム制御装置３０２は、本画像形成装置の全体制御を司り、読み取り制御回路１０７、同期制御回路１０６、画像メモリ部３０１、画像変換部５０１およびＬＰＨ制御回路５０２による画像データ転送動作および画像データ処理動作を制御する。またシステム制御装置３０２は、駆動制御回路５０５に対してスキャナ駆動回路１０８、プリンタ駆動装置３０３を介してモータ等を駆動させて原稿および転写紙搬送を円滑に制御する。なお、画像遅延メモリ５０４はＬＰＨ制御回路５０２が制御の際に使用する遅延メモリである。ここでシステム制御装置３０２は上記の如くＣＰＵ３０２−１を有する。このＣＰＵ３０２−１は、同じく例えばシステム制御装置３０２自身が有する、コンピュータが読取可能な情報記録媒体であるＲＯＭ３０２−２或いはＲＡＭ３０２−３に書き込まれたプログラムを実行することにより、上記した制御動作を含む制御動作を実行する。
【００３３】
ＣＰＵ３０２−１による制御動作には、画像メモリ部３０１等を制御することで複写装置２００により印刷される画像を表現する画像データに不正コピー防止パターンを重畳するための制御動作が含まれる。不正コピー防止パターンを重畳するための制御動作は、例えば公知の技術であるマル秘ナンバリング機能により複写禁止パターンとしての不正コピー防止パターンを画像データに重畳する動作を実現するための制御動作である（特許文献２の段落００２４参照）。ここで不正コピー防止パターンを画像データに重畳する動作は、外部からのレジスタの設定等により、これを実際に行うか行わないかの設定が可能とされる。また不正コピー防止パターンを画像データに重畳する動作を実現するために必要な構成としては例えば上記公知の技術を利用可能であり、ここでの詳細な説明を省略する。更にＣＰＵ３０２−１による制御動作には、後述する不正コピー防止パターン補正部５０１−３等により実行される、不正コピー防止パターンに含まれる孤立ドットを認識し、これを補正するための制御動作も含まれる。
【００３４】
書き込み部５００では、画像メモリ部３０１から、同期クロック信号により転送された画像信号を画像変換部５０１で受け取りそのままＬＰＨ制御回路５０２に渡す。あるいは画像信号は密度変換がなされた上でＬＰＨ制御回路５０２に渡される。ＬＰＨ制御回路５０２では受け取った画像信号が有する画像データをＬＰＨ１（５０３−１）用、ＬＰＨ２（５０３−２）用およびＬＰＨ３（５０３−３）用に分割する。またＬＰＨ制御回路５０２は受け取った画像信号が有する画像データに対し必要部分の画像補正を行う。ＬＰＨ１（５０３−１）〜ＬＰＨ３（５０３‐３）は同画像データを赤外光に変換して出力する。このようにして赤外光に変換されて出力された画像データは複写装置２００に供給される。・
次に複写装置２００の構成につき図２とともに説明する。図２に示す帯電装置２４は、像担持体としてのドラム状感光体２５を−２５００Ｖに一様に帯電させるグリッド付きのスコロトロンチャージャと呼ばれる帯電装置である。感光体感光体２５は図示しないモータにより回転駆動される。ＬＰＨ５０３はＬＰＨ―１、ＬＰＨ２，ＬＰＨ３（５０３−１，５０−２，５０３−３）を一次元に配列し、複数個のＬＥＤ素子を主走査方向にアレイ状に並べたものである。ＬＰＨ制御回路５０２からの画像情報に基づいてＬＰＨ１〜３（５０３−１〜３）のＬＥＤが発光してその光を光学素子であるセルフォックレンズアレイを介して感光体２５に照射する。
【００３５】
感光体２５はＬＰＨ１〜３（５０３−１〜３）からデジタル画像情報に基づいた光が照射されると、光導電現象で表面の電荷がアースに流れて消滅する。ここで、ＬＰＨ１〜３（５０３−１〜３）は、原稿の画像濃度の淡い部分ではＬＥＤ素子が弱く発光し、原稿の画像濃度が濃い部分ではＬＥＤ素子が強く発光するように制御される。これにより、感光体２５上の光照射部には原稿画像の濃淡に対応した静電潜像が形成される。この感光体２５上の静電潜像は現像装置２７によって現像されてトナー象となる。現像装置２７では内部のトナーが撹拌により負に帯電されており、バイアスが−７００Ｖ印加されている。このため、感光体２５上の光照射部分だけにトナーが付着する。
【００３６】
一方、シート状記録媒体としての転写紙は３つの給紙台２８，２９，３０および手差し部から選択的にレジストローラ３１に給送され、レジストローラ３１により所定のタイミングで送り出されて感光体２５の下部を通過する。このときに転写手段としての転写チャージャ３２により感光体２５上のトナー像が転写された転写紙は、次に分離チャージャ３３により感光体２５から分離され、搬送ベルト３４により定着装置３５に送られる。そして、定着装置３５によってトナーが転写紙上に定着される。トナーが定着された転写紙は排紙ローラ３６，３７により機外に排紙される。
【００３７】
図３は書き込み部５００の画像データの流れを示すブロック図である。同図において、書き込み部５００は画像変換部５０１、ＬＰＨ書き込み制御部５０２、ＬＰＨ１（５０３−１）、ＬＰＨ２（５０３−２）、ＬＰＨ３（５０３−３）（以下単にＬＰＨと称する）、およびＳＤＲＡＭ５０４から構成されている。
【００３８】
この書き込み部５００における画像データの置換と流れは以下の通りである。
【００３９】
１）まず、画像情報記憶部３０１から偶数番目の画素（以下ＥＶＥＮと称する）および奇数番目の画素（以下ＯＤＤと称する）の画像データ３０１−１が同時に送られてくる。
【００４０】
２）転送された画像データは、画像変換部５０１で、パターン認識（パターンマッチングとも称する、以下同様）の結果を受け、必要に応じて画像補正が施される。
【００４１】
３）次にＬＰＨ制御回路５０２にて、画像変換部５０１から出力された画像データ（この場合主走査方向のラインデータ）は、画像データＲＡＭ部のＡ群ＳＲＡＭ（５０２−１Ａ）３個に１ライン分のデータが分割されて、書き込まれる。
【００４２】
４）次に、Ａ群のＳＲＡＭ（５０２−１Ａ）３個に書き込まれた１ライン分の画像データが同時に読み出される。
【００４３】
５）ＳＲＡＭ  Ａ群（５０２−１Ａ）から読み出されている最中に、次の２ライン目は、ＳＲＡＭ  Ｂ群（５０１−１Ｂ）に書き込まれる。すなわちいわゆるトグル動作がなされる。このようなＳＲＡＭ群５０２−１の選択制御はアドレス制御部５０２−２によって実行される。
【００４４】
６）ＳＲＡＭ５０２−１から読み出された各ＬＰＨの画像データは、ＳＤＲＡＭ５０２−４に一度転送され、再度読み出される。ここでＬＰＨ１〜３が機械的なレイアウト上、副走査方向にずれている。すなわち、いわゆる千鳥状に配置されている（図２１，図２２参照）。このため、ＬＰＨ１（５０３−１）を基準として、ＬＰＨ２（５０３−２），ＬＰＨ３（５０３−３）の画像データを各ＬＰＨのズレ量に相当する時間遅延させて読み出す。この読み出し制御は遅延制御・ＬＰＨ転送部５０２−３によって行われる。従って、図１Aにおける画像遅延メモリ５０４が図３ではＳＤＲＡＭに対応している。
【００４５】
７）最終的に遅延制御・ＬＰＨ転送部５０２−３からＬＰＨ１，２，３へと画像データは転送される。
【００４６】
画像変換部５０１は、図４のブロック図に示すようにＧＡＴＥコントロール部５０１−１、メモリコントロール部５０１−２、画像認識部（不正コピー防止パターン補正部）５０１−３、密度変換処理部５０１−４、主副トリム処理部５０１−５から構成されている。画像変換部５０１の各密度変換モード（すなわち画像出力モード）はレジスタｄｅｎｓｅ＿ｒ［２：０］によって外部から任意に設定され得る。ｄｅｎｓｅ＿ｒ［２：０］の設定による各密度変換モードおよびモードごとの、後述する画像マトリクスのサイズは図５に示した通りである。密度変換モードは「画像処理を行わないスルーモード」（通常出力モード）、「単密度モード」、「２倍密度モード」、「３倍密度モード」、「１．５倍密度モード」を有する。
【００４７】
ＧＡＴＥコントロール部５０１−１は画像情報記憶部３００に渡すＬＳＹＮＣ＿０を生成する。このＬＳＹＮＣ＿０は、上記密度変換モードが「通常出力モード」か、「１．５倍密度」以外の「単密度モード」、「２倍密度モード」または「３倍密度モード」か、あるいは１．５倍密度の密度変換モードかの各々の場合につき個別に設定されている。また、画素密度を変換するモードでは画像情報記憶部３００からのＬＳＹＮＣが間引かれる。このため、ＬＰＨ画像書き込み制御部５０２にＬＳＹＮＣを渡す際に補間を行う必要がある。ＧＡＴＥコントロール部５０１−１ではそのための処理が行われる。またダミーＦＧＡＴＥの生成もＧＡＴＥコントロール部５０１−１で行われる。
【００４８】
メモリコントロール部５０１−２は、選択される密度変換モードに応じて画像マトリクスの副走査方向のライン群を生成する。メモリコントロール部５０１−２の主な機能は以下の通りである。
【００４９】
（ａ）マスクデータ（すなわち画素値が「０」のデータ、以下同様）のライト（すなわちメモリへデータを書き込むこと、以下同様）およびラインメモリ５０１−２１からのリード（すなわちメモリからデータを読み出すこと、以下同様）、同メモリへのライトを、ＥＶＥＮおよびＯＤＤの２画素を並列して行う。
【００５０】
・１ラインの画素数２１６００の画像データを、アドレス０〜１０７９９、幅５ｂｉｔのラインメモリ５０１−２１に、ＰＬＳＹＮＣ＿Ｎごとで書き込む。
【００５１】
・ＰＦＧＡＴＥ＿ＮおよびＰＬＧＡＴＥ＿Ｎのアサートが無い場合、ラインメモリ５０１−２１へマスクデータを書き込む。
【００５２】
・ＰＬＧＡＴＥ＿ＮのアサートがＰＬＳＹＮＣ＿Ｎから３２クロックまでに発生しない場合、強制的にラインメモリ５０１−２１へのライトを開始する。
【００５３】
これによって、ＰＦＧＡＴＥ＿Ｎアサート前に、８本のラインメモリ５０１−２１をマスクデータ（＝０）で埋め尽くしておく。
【００５４】
（ｂ）画像データライト
ＰＦＧＡＴＥ＿ＮおよびＰＬＧＡＴＥ＿Ｎのイネーブル期間、マスクを解除して、画像データをメモリに書き込む。
【００５５】
（ｃ）データリード、画像マトリクス生成
ｐｌｓｙｎｃ＿ｎ（ＰＬＳＹＮＣ＿Ｎを補間処理して６００ｄｐｉ間隔にしたもの）ごとに、ラインメモリ５０１−２１からデータを読み出す。
【００５６】
なお、各変換密度（すなわち倍率）モードで使用される画像マトリクスのサイズは前記図５の通りである。
【００５７】
プリンタ出力時（すなわち上記単密度モード）および通常画像出力時（すなわち上記スルーモード）においては、７×７画素の画像マトリクスに使用するライン群をメモリコントロール部５０１−２の画像マトリクス生成部５０１−２２で生成する。後述する不正コピー防止パターン補正機能が有効になっている場合は、上記ライン群は次のブロックである不正コピー防止パターン部５０１−３に送られる。そうでない場合は同ライン群は密度変換処理部５０１−４に渡される。また、１．５倍密度モード時は図５に示したように３種類のパターン（２×２，６×２，４×３）の画像マトリクスを生成する。その後、各モードにおいて必要な分の画像マトリクスを参照する。
【００５８】
ラインメモリ５０１−２１のリードライト動作はラインメモリ制御部（ライト・リード・ブロック切替）５０１−２３によって行われる。図６に示すように、８つのラインメモリのうちから１つ（図６の場合にはラインメモリ３）に対してライト動作を行う。それ以外のライト動作に係らないメモリ７つから、ラインデータを読み出して副走査方向７ライン分の画像マトリクスの用の画像データを確保する。このメモリリードライトのタイミングチャートの詳細を図７Ａおよび図７Ｂに示す。
【００５９】
図８は不正コピー防止パターン補正部５０１−３の詳細を示すブロック図である。不正コピー防止パターン補正部５０１−３は、画像マトリクス生成部レジスタ（ｈｃｏｐｙｓｅｔ［１：０］、外部から任意に設定可）を参照することにより、不正コピー防止パターン補正機能の使用の有無、および２値モードか多値モードかの別が判断される。その結果不正コピー防止パターン補正機能を使用すると判断された場合、画像データに含まれた不正コピー防止パターンを認識する。すなわち前段の画像マトリクス生成部５０１−２２から得た１〜７ライン分のライン群を用いて画像マトリクスを生成する。次に同画像マトリクスに対しパターン認識を実施する。パターン認識の結果不正コピー防止パターンが発見された場合、同不正コピー防止パターンの画像に対して補正が行われる。この場合の補正の詳細については後述する。またその際の動作の流れについては図２８とともに後述する。不正コピー防止パターン補正部５０１−３は、ラインごとに３つのＦＦが設けられた７つのラインからなる遅延部５０１−３１と、遅延部５０１−３１で遅延されたデータが入力される画像マトリクス生成部５０１−３２と、パターン認識および出力画像生成部５０１−３３と、主走査カウンタ５０１−３４とを備える。
【００６０】
前記画像マトリクス生成部レジスタ（ｈｃｏｐｙｓｅｔ［１：０］）のレジスタ設定の内訳を図９に示す。なおこれら各種レジスタは例えば前記システム制御装置３０２が有するＲＡＭ３０２−３によって実現される（以下同様）。図９から分かるように、画像マトリクス生成部レジスタであるｈｃｏｐｙｓｅｔ［１：０］の値を「１」とする設定は、画像データに対する不正コピー防止パターン補正機能を使用しない場合の設定である。同値を「２」とする設定は、不正コピー防止パターン補正機能を使用する設定であり、また２値モードである場合の設定である。同値を「３」とする設定は、不正コピー防止パターン補正機能を使用する場合の設定であり、多値モードの場合の設定である。
ことを示す。
【００６１】
ここで、７×７画素の画像マトリクスの生成の詳細につき以下に述べる。図８に示すように、ラインメモリ５０１−２１の出力であるＥＶＥＮ／ＯＤＤ２画素分のデータを遅延部５０１−３１のそれぞれのＦＦでラッチすることで各３回遅延させる。図８中、「１ライン目１ラッチデータ」が、１ライン目のデータが一回遅延されて得られたデータを示す。同様に「１ライン目２ラッチデータ」が、１ライン目のデータが２回遅延されて得られたデータを示す。同様に「１ライン目３ラッチデータ」が、１ライン目のデータが３回遅延されて得られたデータを示す。その結果現在参照中の２画素と併せて合計８画素のデータを参照することが可能になる。ラインメモリ５０１−２１からの出力は７ライン分なので、結果的に合計７×８画素のデータを一度に参照可能となる。不正コピー防止パターン補正機能では、実際には画像マトリクス生成部５０１−３２で生成される前記７×８画素の画像マトリクスを用いて不正コピー防止パターンの補正を行う。すなわちここで使用する画像マトリクスは７×７画素の画像マトリクスであるが、本実施例においては上記の如く、ＥＶＥＮ画素およびＯＤＤ画素の２画素を並列して処理する。このため、上記の如く、７×８画素の画像マトリクスが得られる。そして当該７×８画素の画像マトリクス中、主走査方向前側の７画素（すなわち７列）を有する７×７画素の画像マトリクスを抽出し、同７×７画素の画像マトリクスを参照してその中心の注目画素を補正する。その後前記７×８画素の画像マトリクス上で主走査方向に１画素分移動して主走査方向後側の７画素（すなわち７列）を有する７×７画素の画像マトリクスを抽出し、当該７×７画素の画像マトリクスを参照してその中心の注目画素を補正する。図１０は上記７×８画素の画像マトリクス生成時のタイミングチャートである。
【００６２】
本実施例におけるパターン認識は以下のようにして行われる。
【００６３】
まず、主走査方向に画像分割を行う場合の制御について説明する。図８の下段に示すｄｉｖ＿ｓｅｔ［１４：０］レジスタ（例えば前記システム制御装置３０２が有するＲＡＭ３０２−３により実現され、外部から任意に設定可）によって主走査分割画像領域幅、分割画像領域数を設定する。書き込み最大幅を主走査２１６００［画素］と考え、ｄｉｖ＿ｓｅｔ［１４：０］に設定した値が主走査画像領域分割領域幅とすると、主走査画像領域分割数は、
主走査画像領域分割数＝２１６００／ｄｉｖ＿ｓｅｔ［１４：０］・・・（１）
となる。すなわち、分割数は（１）式によって設定され、割り切れる場合はその商を分割数として得、割り切れない場合はその商を切り上げて得た値を分割数として得る。
【００６４】
図１１は主走査方向に画像分割の例を示す図である。同図では、分割数は５であるが、本実施例においては最大分割可能数は１６である。
【００６５】
不正コピー防止パターン補正部５０１−３の出力画像生成部５０１−３３で行われるパターン認識は、前段の画像マトリクス生成部５０１−３２で作成された画像マトリクスに対し、図１２に示すように、マッチングパターン（すなわち参照画素パターン、以下同様）として、レジスタｉｎｐａｔ１−１［４：０］〜ｉｎｐａｔ１−４９［４：０］（例えば前記システム制御装置３０２が有するＲＡＭ３０２−３により実現され、外部から任意に設定可）において設定されている合計１０通りのマッチングパターンを使用して行われる。図１２下段に示すように、上記計４９個のレジスタＩｎｐａｔ１−１〜ｉｎｐａｔ１−４９の個々のレジスタが、画像マトリクス生成部５０１−３２で生成される７×７画素の画像マトリクスの各画素に、それぞれ対応する。図１２下段に、当該７×７画素の画素マトリクスを示し、同マトリクスは同図の通し番号が示される如く、要素１〜４９を有する。これらの要素１〜４９がそれぞれ当該画像マトリクスに含まれる画素に対応し、それらの画素に対応する画素値が、それぞれ、上記４９個のレジスタＩｎｐａｔ１−１〜ｉｎｐａｔ１−４９に設定される。そして上記４９個のレジスタのセットが計１０セット用意される。その結果、合計１０通りのマッチングパターンが用意される。これら１０セットのレジスタに、注目画素を中心として、不正コピー防止パターンの孤立ドットのドットパターンの考え得るパターンを計１０通り、それぞれ設定しておく。その結果、画像データで表現される画像の全体ではなく、同画像に重畳されている不正コピー防止パターンのみを補正することが可能になる。
【００６６】
また、現在パターン認識の対象の画像マトリクスが上記１０通りのマッチングパターンの何れかに一致するか否か、すなわちマッチングしたか否かの判断は、図８に示されるパターン認識部５０１−３３が行う。その後、注目画素は、そのマッチングの結果に応じた出力画像が得られるように、変換がなされる。その際、常に主走査カウンタ５０１−３４が、現在の注目画素が主走査ライン上の何番目の画素かをカウントする。その結果、現在の注目画素が属する分割領域（すなわち図１１に示す分割領域、以下同様）を参照しておく。そして現在与えられている７×７画素の画像マトリクスが前記レジスタｉｎｐａｔ１−１［４：０］〜ｉｎｐａｔ１−４９［４：０］に設定してあるマッチングパターンに一致した場合、前記分割領域の各領域にて用意されているマッチングパターンと対に設定されている図１３ないし図１６に示す出力レジスタｏｕｔｐａｔ１−１［４：０］〜ｏｕｔｐａｔ１６−１０［４：０］（例えば前記システム制御装置３０２が有するＲＡＭ３０２−３により実現され、外部から任意に設定可）の値に基づいた画素のデータをそれぞれ代わりに出力する。ここで出力レジスタｏｕｔｐａｔ１−１［４：０］〜ｏｕｔｐａｔ１６−１０［４：０］は計１６０個（１６×１０）用意されている。例えば一番目の出力レジスタｏｕｔｐａｔ１−１は、現在の注目画素が分割領域の第１番目の領域に属し、１０通りのマッチングパターンのうちの第１番目のマッチングパターンが一致した場合の出力画素の画像データを設定する。同様に最後の出力レジスタｏｕｔｐａｔ１６−１０は、現在の注目画素が分割領域の第１６番目の領域に属し、１０通りのマッチングパターンのうちの第１０番目のマッチングパターンが一致した場合の出力画素の画像データを設定する。
【００６７】
ここで多値モードの場合、画像データに対し、上記出力レジスタに設定された値に対応する階調の画像データをＬＰＨまで転送する。他方２値モードの場合、いわゆる擬似多値モードの手法によって補正を行う。この疑似多値モードの手法とは、注目画素を副走査方向に位置をずらせた１ライン目と２ライン目とで計２度書き込み（以下副走査２度打ちと称する）、当該副走査２度打ちで書き込まれる計２個の画素値の組み合わせによって、当該画素の見かけ上の階調を変化させる手法である。この場合、当該２個の画素の各々の値が０，１の２通りであるため、その組み合わせは４通りとなる。したがって画素値として４値を表現する必要がある。画像データとしては多値モードの場合に備えてビット数が多いデータ構造を有するが、２値モードの際には画像データの下位２ビットを参照してパターン認識を行う。
【００６８】
図１７下段に示される如く、上記出力レジスタの設定値が００の場合、上記副走査２度打ち時、副走査方向に位置をずらせた１ライン目、２ライン目ともに実際には書き込みを行わない。出力レジスタの設定値が０１の場合、１ライン目のみ書き込み（すなわち画素値が１）２ライン目は書き込まない（画素値が０）。出力レジスタの設定値が１０の場合、１ライン目は書き込まず（画素値が０）に２ライン目を書き込む（画素値が１）。出力レジスタの設定値が１１の場合、１ライン目、２ライン目ともに書き込む（それぞれ画素値が１）。２値モードの場合にはこのようにして注目画素を補正することで不正コピー防止パターンの補正を行う。
【００６９】
図１７は本実施例における不正コピー防止パターンの補正動作につき、実例を挙げて説明するための図である。図１７の上段には、画像データが表現する画像のうち、副走査方向１〜７ライン、主走査方向０〜２３画素の範囲を示す。同範囲の画像中、黒丸は黒画素（すなわち画素値が１、以下同様）を示し、白丸は白画素（画素値が０、以下同様）を示す。そして同範囲の画像中、同図に示す如く、３×３画素の黒画素の集合が、夫々孤立して４個、横方向に並んでいる。これら４個の黒画素の集合が、それぞれ不正コピー防止パターンに含まれる孤立ドットに該当する。このような不正コピー防止パターンとしては、例えば周知の地紋（例えば特許文献２の図２に示される複写禁止パターン）等が挙げられる。そして同図の状態は、画像データ中、副走査方向１〜７ライン、主走査方向０〜６画素の範囲の画像マトリクス（上記の如く７×７画素の画像マトリクス、以下同様）が抽出され、同画像マトリクスの内容が上記パターン認識において上記１０通りのマッチングパターンのうちの一のマッチングパターンと一致した状態を示す。そして同時に同図の状態は、画像データ中、副走査方向１〜７ライン、主走査方向７〜１３画素の範囲の画像マトリクスが抽出され、同画像マトリクスの内容が上記パターン認識において上記１０通りのマッチングパターンのうちの他のマッチングパターンと一致した状態を示す。さらに同時に同図の状態は、画像データ中、副走査方向１〜７ライン、主走査方向１４〜２０画素の範囲の画像マトリクスが抽出され、同画像マトリクスの内容が上記パターン認識において上記１０通りのマッチングパターンのうちのさらに他のマッチングパターンと一致した状態を示す。さらに同時に同図の状態は、画像データ中、副走査方向１〜７ライン、主走査方向２１〜２７画素の範囲の画像マトリクスが抽出され、同画像マトリクスの内容が上記パターン認識において上記１０通りのマッチングパターンのうちのさらに他のマッチングパターンと一致した状態を示す。図１７では説明の便宜上、このようにマッチングパターンとの一致が４箇所同時に生じたかの如く示されている。しかしながら本実施例の場合パターン認識は、実際には、画像データから順次画像マトリクスを抽出し、その都度マッチングパターンと比較して行う（図２８参照）。このため、同時にマッチングパターンとの一致が生じるのは一箇所のみである。
【００７０】
また図１７に示す如く、画像データの補正は、不正コピー防止パターンに含まれる孤立ドットに含まれる一画素ごとである。補正される画素は注目画素であり、図１７に示される如く、注目画素は画像マトリクスに含まれる７×７画素のうちの丁度中心に位置する画素である。図１７上段中、注目画素には「注」と記してある（以下同様）。画素の補正は、図１７の場合、上記３×３の黒画素の集合である不正コピー防止パターンに含まれる孤立ドットに含まれる黒画素のうち、外縁部分に位置する画素の階調を見かけ上変化させることで行っている。図１７の例の場合このような補正により、図２９，図３０とともに後述する如く、当該不正コピー防止パターンに含まれる孤立ドットの大きさを小さくし、規格に納めるようにする。具体的には、図１７の上部に示された画像の範囲のうち、副走査方向４ライン、主走査方向３画素目が注目画素の場合、不正コピー防止パターンに含まれる孤立ドットの左上の隅の画素、すなわち外縁部分に位置する画素に該当する。したがって図１７下段に示される如く、上記副走査２度打ちで書き込まれる注目画素のうち、２ライン目の画素は実際には書き込まれないように制御される。
【００７１】
２値モードの場合及び多値モードの場合の不正コピー防止パターンの補正について、更にそれぞれ図１８および図１９とともに説明する。これらの図では、上記マッチングパターンとして、図１８に示す２値モードの場合、上記レジスタｉｎｐａｔ１−２５〜２７、ｉｎｐａｔ１−３２〜３４、ｉｎｐａｔ１−３９〜４１を１に設定され、それ以外には全て０が設定される。このようにして設定されたマッチングパターンでは、図１８上段に示される如く、７×７画素の画像マトリクスの２５〜２７番目、３２〜３４番目、３９〜４１番目（図１２下段参照）に対応する画素が黒画素とされ、それ以外の画素が白画素とされる。また図１８の例では、図示の如く、画像データの画像マトリクスのうち、副走査方向４〜６、主走査方向３〜５の範囲に３×３の黒画素を有する不正コピー防止パターンに含まれる孤立ドットが存在する。すなわちマッチングパターンと一致する。その結果、画像マトリクスが図１８の上段に示す、副走査方向１〜７ライン、主走査方向０〜６画素の範囲のものであった場合、画像マトリクスとマッチングパターンとが一致する。その結果、画像マトリクスの中心に存在する注目画素、すなわち副走査方向４ライン目、主走査方向３番目の画素が補正される。図１９の場合も同様である。但し図１９の場合多値モードであるため、マッチングパターンを実現するレジスタｉｎｐａｔ１−２５〜２７、ｉｎｐａｔ１−３２〜３４、ｉｎｐａｔ１−３９〜４１が１ｆに設定され、それ以外には全て０が設定される。補正後の画素値を設定する出力レジスタとしては、注目画素が属する主走査分割画像領域に対応するものが適用される。図１８，図１９から明らかなように、本実施例では、画像データ中、不正コピー防止パターンに含まれる孤立ドットに対してのみドットの大きさを制御することが可能になる。
【００７２】
不正パターン防止コピー補正部５０１−３の後段の密度変換処理部５０１−４は、スムージング処理部、１．５倍密度変換処理部、画像セレクタ、フォーマット変換部（いずれも図示を省略）を備えている。密度変換処理部５０１−４は該当する設定に応じて各密度変換モードを選択し、それに応じた処理を画像データに対し行う。すなわち、まず、スルーモードが選択された場合には単純に画像をスルーさせて出力する。また単密度、１．５倍密度、２倍密度、３倍密度のそれぞれの密度変換モードが選択された際は、画像データに対し、選択された密度変換モードに応じた密度変換処理を行う。
【００７３】
密度変換処理部５０１−４のさらに後段にある主・副走査トリム部５０１−５は、画像データに対して主・副方向にマスク処理を行う。主・副方向の画像データに対するマスク処理の際のマスク量に関してはレジスタに設定されている値を参照して画像データに対し、同設定値に見合ったマスクをかける処理を行う。ここでマスク処理とは、例えば用紙の上下左右端の余白部分に対する印刷がなされないようにする目的で、該当する部分の画素の画像データを０とする処理を言う。
【００７４】
上述の如く、本実施例は以下のような効果を奏する。
【００７５】
１）主走査方向に画像領域を分割し、分割した領域ごとに個別に不正コピー防止パターンに含まれる孤立ドットの大きさを変更するので、感光体の位置による画素のばらつきを補正して書込みを行うことが可能となる。これにより、出力された画像から不正コピー防止パターンを認識する際の認識率を向上させることができる。このばらつきを補正した場合の例を図２７に示す。同図から明らかなように、上述した図２６の場合のようにＡ０幅の感光体の長手方向の位置で画素サイズがばらついていたものが、図２７の場合、領域に応じて補正を行った結果、画素サイズが長手方向に一によらず揃った状態となっている。
【００７６】
２）上記の如く主走査方向に分割する分割画像領域の幅を外部から任意に設定することができる。このため感光体上の位置によるドットの大きさの差をより細かく補正することが可能となる。これにより、出力した画像から不正コピー防止パターンを認識する際の認識率を向上させることができる。
【００７７】
３）上記の如く主走査方向に分割する分割画像領域の分割数を外部から任意に設定することができる。このため感光体の位置によるドットの大きさの差をより細かく補正することが可能となる。これにより、出力した画像の不正コピー防止パターンの認識率を向上させることができる。
【００７８】
４）ラインメモリを用いて形成した画像マトリクスを使用してパターン認識を行う際に不正コピー防止パターンに含まれる孤立ドットのドットパターンか否かを判断するためのマッチングパターンを外部から任意に設定することが可能である。さらに２値モードの場合であっても多値モードの場合であっても対応が可能である。その結果不正コピー防止機能の使用を選択した際に画像データに重畳される不正コピー防止パターンに含まれる孤立ドットのドットパターンの変更に対する対応が可能である。
【００７９】
５）不正コピー防止パターンに含まれる孤立ドットのドットパターンの補正の態様を指定する出力レジスタの設定を外部から任意に設定することができる。さらに２値モードの場合であっても多値モードの場合であっても対応が可能である。したがって不正コピー防止パターンに含まれる孤立ドットのドットパターンに含まれる各画素の補正の度合いを外部から調整することが可能である。その結果機械間の差異や環境によって変化するドット形状の違いを考慮して適切に補正を行うことができる。
【００８０】
６）さらに画像形成装置が多値のシステムであって多値のＬＰＨを有する場合、不正コピー防止パターンに含まれる孤立ドットのドットパターンに含まれる各画素に対応する発光素子の発光制御により同孤立ドットの大きさを制御することが可能である。
【００８１】
７）また画像形成装置が２値のシステムで２値のＬＰＨを有する場合、以下の方法を使用することが可能である。すなわち、通常状態において画像データを発行素子アレイユニットに所定の転送速度ｘで転送する場合、同所定の転送速度ｘのｍ（ｍは正の整数）倍の転送速度ｍｘで画像データを転送することにより、各画素を副走査方向に位置を異ならせてｍ度書き込む方法により、上記疑似多値モードの手法を使用することが可能となる。その結果、副走査方向に擬似的に多値化して画素を書き込むことが可能となる。当該疑似多値モードの手法を使用することで、不正コピー防止パターンに含まれる孤立ドットの大きさを制御することができる。
【００８２】
８）２値モードか、多値モードかの別に応じて不正コピー防止パターン補正機能における補正方法を選択可能とすることができる。その結果、画像形成装置が２値のシステムの場合か多値のシステムの場合かの別に関わらず、適切に不正コピー防止パターンを補正することが可能になる。その結果異なる機種間で同一の不正コピー防止パターン補正機能を共有することができる。
【実施例２】
【００８３】
実施例２は、上記の実施例１に対し、ＬＰＨを複数本繋いでＡ０の用紙サイズ幅の書き込みを行う場合において、隣接するＬＰＨの繋ぎ目部におけるドット径のばらつきによる、出力された画像上の不正コピー防止パターンの認識精度の低下に対処する構成を有する。画像形成装置の構成は基本的に実施例１と同等なので、実施例１と異なる点についてのみ説明する。
【００８４】
図２０は本実施例における不正コピー防止パターン補正部５０１−３の詳細を示すブロック図である。この実施例２では、実施例１に対し、パターン認識および出力画像生成部５０１−３３と主走査カウンタ５０１−３４との間に領域認識部５０１−３６を設ける。
【００８５】
本実施例においては、この図２０に示す回路を前提として以下のようなパターン認識が行われる。
【００８６】
まず、主走査方向に画像を分割する制御では、図２０下段に示すｄｉｖ＿ｓｅｔ［２：０］レジスタ（例えば前記システム制御装置３０２が有するＲＡＭ３０２−３により実現され、外部から任意に設定可）によって、各ＬＰＨが受け持つ分割領域数を設定する。それぞれのＬＰＨ５０３−１，２，３が受け持つ範囲が図２１に示すように７６８０画素の場合、７６８０／ｄｉｖ＿ｓｅｔ［２：０］で得られる数の画素ごとに各ＬＰＨＬ５０３−１，２，３の領域の分割が行われる。なお、図２１は、ｄｉｖ＿ｓｅｔ［２：０］＝４とした際の分割の例を示す。
【００８７】
図２１に示されるように、結果的に、画像は、ＬＰＨ１が受け持つ各分割領域、ＬＰＨ２が受け持つ各分割領域、ＬＰＨ３が受け持つ各分割領域、左繋ぎ目部領域（領域１３）および右繋ぎ目部領域（領域１４）の各領域を含む。
【００８８】
また、これらの繋ぎ目部領域及び各分割領域の認識は以下の通りになされる。すなわち、上記７６８０／ｄｉｖ＿ｓｅｔ［２：０］ごとに、それぞれのＬＰＨ１，２，３（５０３−１，２，３）ごとの領域を主走査カウンタ値にて認識して分割する。ＬＰＨ１（５０３−１）およびＬＰＨ２（ＬＰＨ５０３−２）の各々の最後の部分は、左繋ぎ目部領域および右繋ぎ目部領域のそれぞれの指定アドレスｔｕｎａｇｉＬ［１５：０］およびｔｕｎａｇｉＲ［１５：０］（図２２下段）をみて、各々の繋ぎ目部領域を認識する。最終的にＬＰＨ１が受け持つ各分割領域（領域１，２，３，４，）、ＬＰＨ２が受け持つ各分割領域（領域５，６，７，８）、ＬＰＨ３が受け持つ各分割領域（領域９，１０，１１，１２）、左繋ぎ目領域（領域１３）および右繋ぎ目領域（領域１４）の各領域の認識がなされる。
【００８９】
さらに図２２および図２３を用いて繋ぎ目部領域に関しより詳しく述べる。本実施例では、図２２に示すように上記ｔｕｎａｇｉＬ［１５：０］とそれ以降３画素の計４画素を左繋ぎ目画素、ｔｕｎａｇｉＲ［１５：０］とそれ以前３画素の計４画素を右繋ぎ目画素そのものとして認識する。また本実施例では図２３に示されるように、これら４列の繋ぎ目画素の前後２列の範囲内に注目画素が位置する領域を含め、それぞれ左繋ぎ目領域、右繋ぎ目領域として認識する。
【００９０】
ここで図２３において、網点で示される楕円が、それぞれ左あるいは右継ぎ目画素を示す。図２３中、パターン１は画像マトリクス中、右端の２列に繋ぎ目画素が掛かっている。同様にパターン２は画像マトリクス中、右端の３列に繋ぎ目画素が掛かっている。すなわちパターン２はパターン１に対し、画像マトリクスとして抽出する画像データの範囲が、１画素分主走査方向にシフトしている。同様に図２３のパターン３〜８は、画像マトリクスとして抽出する画像データの範囲が、順次１画素ずつ主走査方向にシフトした状態を示す。すなわち図２３のパターン１〜８は、注目画素が４列の繋ぎ目画素の領域の２画素手前に位置する状態（すなわちパターン１）から、同繋ぎ目画素の領域を通過し（パターン３〜６）、同繋ぎ目画素の領域を通り過ぎて（パターン７）、同繋ぎ目画素の領域から２画素目に至る（パターン８）迄の状態を示す。
【００９１】
本実施例においてパターン認識は以下のようにして行われる。
【００９２】
ここでパターン認識の説明に際し、まずＬＰＨ１〜３（５０３−１〜３）の繋ぎ目部領域以外の分割領域につき説明する。パターン認識は前段で作成した画像マトリクスに対して、実施例１の図１２に示したようにマッチングパターンとしてレジスタｉｎｐａｔ１−１［４：０］〜ｉｎｐａｔ１−４９［４：０］にて１０通り設定してあるマッチングパターンを使用してパターン認識を行う。
【００９３】
図１２に示すように、これらのレジスタｉｎｐａｔ１−１〜ｉｎｐａｔ１−４９が、画像マトリクスの各画素（１〜４９）に、それぞれ対応する。このレジスタに、注目画素を中心として、不正コピー防止パターンの孤立ドットのドットパターンとして考え得るパターンを設定しておく。これにより、画像全体ではなく、不正コピー防止パターンのみを補正することが可能になる。
【００９４】
また、画像マトリクスとマッチングパターンとが一致したか否かの判断は、図２０に示すようにパターン認識および出力画像生成部５０１−３３が行う。そしてパターン認識および出力画像生成部５０１−３３からは、そのパターン認識結果に応じた画像データが出力される。すなわち不正コピー防止パターンに含まれる孤立ドットの大きさが適宜補正された状態の画像データに置き換えられる。この画像データの置き換えを画像データの変換とも称する。この画像データの変換時には、常に主走査カウンタ５０１−３４にて現在の画素数がカウントされ、現在注目画素が属している領域がどの分割領域かを認識する。そして注目画素を中心とした７×７画素の画像マトリクスがレジスタｉｎｐａｔ１−１［４：０］〜ｉｎｐａｔ１−４９［４：０］に設定してあるマッチングパターンに一致した場合、出力レジスタｏｕｔｐａｔ１−１［４：０］〜ｏｕｔｐａｔ１６−１０［４：０］の値に基づいた画像データが出力される。ここで出力レジスタｏｕｔｐａｔ１−１［４：０］〜ｏｕｔｐａｔ１６−１０［４：０］の値は前記実施例１における図１３〜図１６に示されたものであって、各分割画像領域ごとに個別に設定されており、マッチングパターンに対応するように設定されている。
【００９５】
多値モードの場合、画像データに対しこれらの出力レジスタに設定された値をそのまま対応する階調に変換して、ＬＰＨまで転送する。２値モードの場合、上記の如く、画素を副走査方向に２度打ちして行う擬似多値モードの手法を使用して補正を行う。その場合画像データは最大４値のデータとなる。画像データは多値モードに備えてビット数が多いデータ構造を有するが、２値モードの際には画像データの下位２ビットを使用する。
【００９６】
補正後の画像データは実施例１の図１７に示すように、出力レジスタの設定値が００の場合は副走査方向の２度打ち時、１ライン目、２ライン目ともに書き込みを行わない。出力レジスタの設定値が０１の場合、１ライン目のみ書き込む。出力レジスタの設定値が１０の場合、２ライン目のみ書き込む。出力レジスタの設定値が１１の場合、１ライン目、２ライン目ともに書き込む。この計４通りの書き込みによって見かけ上の階調を変化させることにより、不正コピー防止パターンの補正を行う。
【００９７】
次に繋ぎ目部領域について説明する。本実施例では図２２に示す如く、３本のＬＰＨ１〜３（５０３−１〜３）を千鳥状に配置している。このため、ＬＰＨ２の発光制御において、ＬＰＨ１およびＬＰＨ３の各々との間の繋ぎ目部領域につき、補正を行う。まず、左繋ぎ目部領域（領域１３）を例にとり説明を行う。
【００９８】
左繋ぎ目部領域におけるパターン認識は以下の如くに行う。すなわち、図２３に示すように、左繋ぎ目部領域に注目画素が掛かる状態は、上記４列の繋ぎ目画素が７×７画素の画像マトリクス中のどの部分に位置するかにより、計８通り考えられる。この８通りの各々に対し、対応する出力レジスタの設定が個別になされる。すなわち図２４Ａおよび図２４Ｂに示すように、レジスタｉｎｐａｔ１−１［４：０］〜ｉｎｐａｔ１−４９［４：０］に設定された上記１０通りのマッチングパターンのいずれと一致したかの別に対し、ならびに、注目画素の繋ぎ目画素に対する相対的位置が上記８通りの状態のいずれの状態にあるのかの別に対し、個別に対応する出力レジスタの設定がなされる。したがって対応する出力レジスタの設定、すなわち注目画素の補正後（すなわち変換後）の画素値の設定は、１０×８＝８０通りとなる。これら８０通りの設定が、図２４Ａ，図２４Ｂに示す、対応する８０個の出力レジスタｏｕｔｐａｔＬ１−１［４：０］〜ｏｕｔｐａｔＬ８−１０［４：０］のそれぞれを使用してなされる。
【００９９】
以上左繋ぎ目部領域（領域１３）について説明したが、右繋ぎ目部領域（領域１４）についても同様である。すなわち１０通りのマッチングパターンのいずれと一致したかの別に対し、ならびに、注目画素の繋ぎ目画素に対する相対的位置が上記８通りの状態のいずれの状態にあるのかの別に対し、個別に８０通りの出力レジスタの設定がなされる。右繋ぎ目部領域についての出力レジスタの設定、すなわち注目画素の補正後（すなわち変換後）の画素値の８０通りの設定が、図２５Ａ，図２５Ｂに示す、対応する８０個の出力レジスタｏｕｔｐａｔＲ１−１［４：０］〜ｏｕｔｐａｔＲ８−１０［４：０］のそれぞれを使用してなされる。
【０１００】
また、左右繋ぎ目部領域おける不正コピー防止パターンの補正に関し、画像全体の不正コピー防止パターンの補正とは独立に、レジスタｈｃｏｐｙＬｓｅｔおよびｈｃｏｐｙＲｓｅｔ（各々、例えば前記システム制御装置３０２が有するＲＡＭ３０２−３により実現され、外部から任意に設定可）が設けられ、これらのレジスタを使用して不正コピー防止パターンの補正「あり」、「なし」の別、ならびに「２値」、「多値」のそれぞれのモードを、選択可能である。
【０１０１】
２値モードの場合と多値モードの場合との不正コピー防止パターンの補正の方法の相違については、前記した実施例１における図１８および図１９とともに説明した内容と同様である。すなわちマッチングパターンとして、２値モードの場合、レジスタｉｎｐａｔ１−２５〜２７，ｉｎｐａｔ１−３２〜３４，ｉｎｐａｔ１−３９〜４１の各々に１を設定し、それ以外の全てに０を設定する。多値モードの場合、レジスタｉｎｐａｔ１−２５〜２７，ｉｎｐａｔ１−３２〜３４，ｉｎｐａｔ１−３９〜４１の各々に１ｆを設定し、それ以外の全てに０を設定する。出力レジスタの設定値は、注目画素が主走査分割画像領域（ＬＰＨ１，２，３の各々が受け持つ分割領域ならびに左右繋ぎ目部領域）のいずれの領域に属するかの別に対応し、設定される。
【０１０２】
このように、本実施例においても画像データ中、不正コピー防止パターンに含まれる孤立ドットに対してのみドットの大きさを制御することが可能になる。
【０１０３】
その他、特に説明しない各部は実施例１と同等に構成され、同等に機能するので、重複する説明を省略する。
【０１０４】
以上のように本実施例は上記した実施例１の効果に加え、以下のような効果を奏する。
【０１０５】
１）画像データに不正コピー防止パターンを重畳する場合、感光体上の像高位置、ＬＰＨばらつきを考慮し、Ａ０幅を複数の領域に分割し、それぞれの領域ごとに１画素辺りの印字に使用する光量を制御する。その結果Ａ０幅のどの点でも不正コピー防止パターンに含まれる孤立ドットのドット径を安定させて印字させることが可能となる。その結果不正コピー防止パターンが重畳された印刷物から当該不正コピー防止パターンを認識する際の認識制度を向上させることができる。
【０１０６】
２）各ＬＰＨの繋ぎ目部の画像領域において不正コピー防止パターンに含まれる孤立ドットを印字する際に、繋ぎ目部領域においては他の領域とは独立した補正を行う。その結果、繋ぎ目部領域における不正コピー防止パターンに含まれる孤立ドットのドット径を、他の印字領域におけるドット径とは独立して調整することができる。
【０１０７】
３）繋ぎ目部領域以外の各ＬＰＨの画像領域において、主走査方向に画像を分割し、それぞれの領域において独立した補正を行う。その結果、Ａ０印字の際にこのようにして分割された各印字領域の各出力ドット径を個別に独立して調整することができる。
【０１０８】
図２８は、図８等に示される上記実施例１の画像形成装置における不正コピー防止パターン補正部５０１−３あるいは図２０等に示される上記実施例２の画像形成装置における不正コピー防止パターン補正部５０１−３において実行される、不正コピー防止パターンの補正動作の流れを説明するためのフローチャートである。
【０１０９】
図２８中、ステップＳ１にて画像マトリクス生成部５０１−３２が、ラインメモリ５０１−２１から得られる画像データを使用して画像マトリクスを生成する。ここでは注目画素を中心とした画像マトリクスを抽出する。ステップＳ２にて、パターン認識および出力画像生成部５０１−３３が、レジスタに設定されたマッチングパターンを使用し、上記画像マトリクスとのパターン認識を行う。その結果いずれかのマッチングパターンと一致した場合（ステップＳ２のＹｅｓ）、ステップＳ３にて、注目画素の画像データを、一致したマッチングパターンがいずれのマッチングパターンかの別ならびに注目画素がいずれの分割領域あるいは繋ぎ目部領域に属するかの別に応じた補正後の画像データに補正する。その後ステップＳ４に移行する。なおステップＳ２におけるパターン認識の結果画像マトリクスがいずれのマッチングパターンとも一致しなかった場合、ステップＳ３をスキップして直接ステップＳ４を実行する。
【０１１０】
ステップＳ４では、注目画素が、当該注目画素が属するラインの最後の画素か否かを判定する。最後の画素であった場合（Ｙｅｓ），ステップＳ６にて、注目画素が、画像データが有する最後のラインに属する画素であるか否かを判定する。最終ラインに属する画素であった場合（Ｙｅｓ）、当該画像データに対する処理を終了する。
【０１１１】
他方、ステップＳ４の判定の結果が、注目画素がラインの最後画素でなかった場合（Ｎｏ）、ステップＳ５にて、注目画素として、同じライン上の次の画素、すなわち主走査方向に一画素分ずれた位置にある画素を抽出する。その後当該新たな注目画素に対し、ステップ上記したＳ１以降の処理を行う。ステップＳ６の判定の結果が、注目画素が最終ラインの画素でなかった場合（Ｎｏ）、ステップＳ７にて、注目画素として、次のライン、すなわち副走査方向に一ラインずれたライン上の最初の画素を抽出する。その後当該新たな注目画素に対し、ステップ上記したＳ１以降の処理を行う。このようにして、画像データから順次画像マトリクスを抽出する（ステップＳ１）ことで、画像データが表現する画像全体を主走査方向および副走査方向に走査する（ステップＳ５，Ｓ７）。そして抽出された画像マトリクスを使用してパターン認識（ステップＳ２）を行うことで、当該画像データに重畳された不正コピー防止パターンを検出する。検出された不正コピー防止パターンの孤立ドットに対し、その画素ごとに補正を行う（ステップＳ４）。
【０１１２】
図２９、図３０はこのような不正コピー防止パターンの孤立ドットの補正につき例を挙げて説明するための図である。図２９は２値モードの場合について説明するための図である。図２９（ａ）は同孤立ドットを補正無しに印字した状態を示す。当該孤立ドットは図示の如く、３行３列の画素により形成されている。すなわち３×３画素のドットである。図２９（ｂ）はこのようにして印字された孤立ドットが不正コピー防止パターンの規格内の大きさである場合の例を示し、図２９（ｃ）は印字された孤立ドットが不正コピー防止パターンの規格を外れて大きすぎた場合の例を示す。なお図２９（ｂ）、（ｃ）では、図２９（ａ）における３×３画素による表現と異なり、孤立ドットが一の円形あるいは楕円形として表現されている。これは図２９（ｂ）、（ｃ）において説明の便宜上分かりやすい表現方法を採ったことによる（以下同様）。
【０１１３】
図２９（ｄ），（ｅ）は、図２９（ａ）、（ｃ）の状態に対し、上記不正コピー防止パターン補正部５０１―３による補正を施した場合の状態を説明するための図である。すなわち、図２９（ｄ）では、上記疑似多値モードの手法を使用し、図２９（ａ）の孤立ドットに含まれる各画素を印字する際、副走査方向に位置をずらせて２度打ちすることで、擬似的に階調を変化させて補正を行った状態を示す。具体的には、例えば図２９（ａ）に孤立ドットの左上隅の画素が、図２９（ｄ）では図示の如く、副走査方向に並んだ２個の白画素に補正（あるいは変換、以下同様）されている。同様に中央上側の画素は、副走査方向に並んだ、白画素と黒画素とに補正されている。このようにして３×３画素の孤立ドットを形成している計９個の画素のうち、外縁部の画素が補正される。その結果実際に印字される際、図２９（ｅ）に示される如く、当該孤立ドットの大きさが縮小される。その結果不正コピー防止パターンの規格に収まるように不正コピー防止パターンに含まれる孤立ドットの大きさを調整することが可能となる。
【０１１４】
図３０は多値モードの場合の不正コピー防止パターンに含まれる孤立ドットの補正の例を、図２９の場合と同様に示す。図３０（ａ）、（ｂ）、（ｃ），（ｅ）はそれぞれ図２９（ａ）、（ｂ）、（ｃ），（ｅ）と同様であり、重複する説明を省略する。図３０（ｄ）の例では、上記疑似多値モードの手法を使用して各画素を印字する際、副走査方向に位置をずらせて２個の画素を書き込む。その結果図２９（ｄ）の場合同様、元の３×３画素の孤立ドットが３×６画素のドットとなり、当該ドットは計１８個の画素で形成される。図３０（ｄ）の場合、多値モードを使用しているため、これら１８個の各画素の階調を変化させることができる。具体的には、例えば図３０（ａ）に孤立ドットの左上隅の画素が、図３０（ｄ）では図示の如く、副走査方向に並んだ白画素およびグレーの画素に補正（あるいは変換、以下同様）されている。同様に中央上側の画素は、副走査方向に並んだ、白画素とグレーの画素とに補正されている。このようにして３×３画素の孤立ドットを形成している計９個の画素のうち、外縁部の画素が補正される。その結果実際に印字される際、図３０（ｅ）に示される如く、当該孤立ドットの大きさが縮小される。その結果不正コピー防止パターンの規格に収まるように不正コピー防止パターンに含まれる孤立ドットの大きさを調整することが可能となる。尚上記グレーの画素とは、白画素および黒画素の中間の階調を有する画素を意味する。
【図面の簡単な説明】
【０１１５】
【図１Ａ】本発明の実施例１に係る画像形成装置の概略構成を示すブロック図である。
【図１Ｂ】図１A中、システム制御装置３０２のブロック構成例を示す図である。
【図２】実施例１に係る画像形成装置の機械的構成を示す図である。
【図３】図１Ａにおける書き込み部の画像データの流れを示すブロック図である。
【図４】書き込み部の構成を示すブロック図である。
【図５】倍率とマトリクスサイズとの関係を示す図である。
【図６】ラインメモリのリードライト動作の制御構成を示す図である。
【図７Ａ】図６のメモリリードライトのタイミングの詳細を示すタイミングチャート（その１）である。
【図７Ｂ】図６のメモリリードライトのタイミングの詳細を示すタイミングチャート（その２）である。
【図８】不正コピー防止パターン補正部の詳細を示すブロック図である。
【図９】画像マトリクス生成部レジスタ（ｈｃｏｐｙｓｅｔ）の設定の内訳を示す図である。
【図１０】不正コピー防止パターン補正部での画像マトリクス生成時のタイミングを示すタイミングチャートである。
【図１１】実施例１における主走査方向の画像分割の例を示す図である。
【図１２】パターン認識および出力画像生成部で行われるパターン認識のマッチングパターンの例を示す図である。
【図１３】入力パターンにマッチングした場合の各画像領域にて用意されている出力レジスタの例（その１）を示す図である。
【図１４】入力パターンにマッチングした場合の各画像領域にて用意されている出力レジスタの例（その２）を示す図である。
【図１５】入力パターンにマッチングした場合の各画像領域にて用意されている出力レジスタの例（その３）を示す図である。
【図１６】入力パターンにマッチングした場合の各画像領域にて用意されている出力レジスタの例（その４）を示す図である。
【図１７】不正コピー防止パターンの補正動作の説明図である。
【図１８】２値の場合の不正コピー防止パターンの補正のイメージを示す図である。
【図１９】多値の場合の不正コピー防止パターンの補正のイメージを示す図である。
【図２０】実施例２における不正コピー防止パターン補正部の詳細を示すブロック図である。
【図２１】実施例２において、書き込み領域がＬＰＨ１各分割領域、ＬＰＨ２各分割領域、ＬＰＨ３各分割領域、左繋ぎ目部領域、右繋ぎ目部領域に分割された例を示す図である。
【図２２】図２１における繋ぎ目部分の詳細を示す図である。
【図２３】繋ぎ目部におけるパターンマッチングのパターンを示す図である。
【図２４Ａ】繋ぎ目部におけるパターンにマッチングした場合の各画像領域にて用意されている出力レジスタの例（その１）を示す図である。
【図２４Ｂ】繋ぎ目部におけるパターンにマッチングした場合の各画像領域にて用意されている出力レジスタの例（その２）を示す図である。
【図２５Ａ】繋ぎ目部におけるパターンにマッチングした場合の各画像領域にて用意されている出力レジスタの例（その３）を示す図である。
【図２５Ｂ】繋ぎ目部におけるパターンにマッチングした場合の各画像領域にて用意されている出力レジスタの例（その４）を示す図である。
【図２６】感光体上の位置によってドット径がばらつく例を概念的に示す図である。
【図２７】感光体上の位置によってドット径がばらついた場合に、領域に分けて補正したときの状態を概念的に示す図である。
【図２８】不正コピー防止パターンの補正動作の流れを説明するためのフローチャートである。
【図２９】不正コピー防止パターンの補正動作の具体例を説明するための図（その１）である。
【図３０】不正コピー防止パターンの補正動作の具体例を説明するための図（その２）である。
【符号の説明】
【０１１６】
１００  読み取り部
２００  複写装置
３００  画像情報記憶部
３０１  画像メモリ部
３０２  システム制御装置
３０２−１  ＣＰＵ
３０２−２  ＲＯＭ
３０２−３  ＲＡＭ
４００  操作部
５００  書き込み部
５０１  画像変換部
５０１−２  メモリコントロール部
５０１−２１  ラインメモリ
５０１−２２  画像マトリクス生成部
５０１−２３  ラインメモリ制御部
５０１−３  不正コピー防止パターン補正部
５０１−３１  遅延部
５０１−３２  画像マトリクス生成部
５０１−３３  パターン認識および出力画像生成部
５０２  ＬＰＨ制御回路
５０３−１，２，３  ＬＰＨ
５０５  駆動制御回路
【図１Ａ】
0005127609.tif 000002
【図１Ｂ】
0005127609.tif 000003
【図２】
0005127609.tif 000004
【図３】
0005127609.tif 000005
【図４】
0005127609.tif 000006
【図５】
0005127609.tif 000007
【図６】
0005127609.tif 000008
【図７Ａ】
0005127609.tif 000009
【図７Ｂ】
0005127609.tif 000010
【図８】
0005127609.tif 000011
【図９】
0005127609.tif 000012
【図１０】
0005127609.tif 000013
【図１１】
0005127609.tif 000014
【図１２】
0005127609.tif 000015
【図１３】
0005127609.tif 000016
【図１４】
0005127609.tif 000017
【図１５】
0005127609.tif 000018
【図１６】
0005127609.tif 000019
【図１７】
0005127609.tif 000020
【図１８】
0005127609.tif 000021
【図１９】
0005127609.tif 000022
【図２０】
0005127609.tif 000023
【図２１】
0005127609.tif 000024
【図２２】
0005127609.tif 000025
【図２３】
0005127609.tif 000026
【図２４Ａ】
0005127609.tif 000027
【図２４Ｂ】
0005127609.tif 000028
【図２５Ａ】
0005127609.tif 000029
【図２５Ｂ】
0005127609.tif 000030
【図２６】
0005127609.tif 000031
【図２７】
0005127609.tif 000032
【図２８】
0005127609.tif 000033
【図２９】
0005127609.tif 000034
【図３０】
0005127609.tif 000035